(57)【要約】【課題】一度使用した水を再使用する場合であっても、長期間に亘り目詰まりを起こすことがなく、ノズルのできるだけ長い流域で長期間に亘り安定して均一に散水することができ、したがって野菜類や果実類を長期間に亘り安定して且つ効率的に洗浄することができる洗浄用散水ノズルを提供する。【解決手段】被洗浄物の洗浄用として該被洗浄物に散水するための洗浄用散水ノズルを、パイプの軸線方向に１本又は２本の主切り込み線又はスリットを形成し、該主切り込み線又は該スリットの下辺を臨むパイプ部に軸線方向へ間隔を空けて複数の副切り込み線又は切り欠き部を形成して、隣接する該副切り込み線又は該切り欠き部相互間のパイプ部を先端側の該副切り込み線又は該切り欠き部を起点として外側に開いた形とした。【選択図】図２
0003137884.tif 000002
【実用新案登録請求の範囲】
【請求項１】
被洗浄物の洗浄用として該被洗浄物に散水するための洗浄用散水ノズルであって、パイプの軸線方向に１本又は２本の主切り込み線又はスリットが形成されており、該主切り込み線又は該スリットの下辺を臨むパイプ部に軸線方向へ間隔を空けて複数の副切り込み線又は切り欠き部が形成されていて、隣接する該副切り込み線又は該切り欠き部相互間のパイプ部が先端側の該副切り込み線又は該切り欠き部を起点として外側に開かれて成ることを特徴とする洗浄用散水ノズル。
【請求項２】
隣接する副切り込み線又は切り欠き部相互間のパイプ部が先端側の該副切り込み線又は該切り欠き部の下端から基端側の該副切り込み線又は該切り欠き部の上端に亘って外側に開かれた請求項１記載の洗浄用散水ノズル。
【請求項３】
隣接する副切り込み線又は切り欠き部相互間の間隔がパイプの基端側よりも先端側の方で狭くなるようにした請求項１又は２記載の洗浄用散水ノズル。
【請求項４】
隣接する副切り込み線又は切り欠き部相互間のパイプ部がそれらの起点において４５〜１３５度の範囲内で外側に開かれた請求項１〜３のいずれか一つの項記載の洗浄用散水ノズル。
【請求項５】
先端が封鎖されたパイプの軸線方向に１本又は２本のスリットが形成されており、該スリットの下辺を臨むパイプ部に軸線方向へ間隔を空けて複数の切り欠き部が形成された請求項１〜４のいずれか一つの項記載の洗浄用散水ノズル。
【請求項６】
パイプが金属製のものである請求項１〜５のいずれか一つの項記載の洗浄用散水ノズル。
【考案の詳細な説明】
【技術分野】
【０００１】
本考案は洗浄用散水ノズルに関する。野菜類や果実類を原料として用い、ジュースや調味料等の加工飲食品を製造する場合、原料である野菜類や果実類を洗浄することが行なわれる。本考案はかかる洗浄に使用される散水ノズルの改良に関する。
【背景技術】
【０００２】
従来、野菜類や果実類の洗浄には色々な装置が使用されている（例えば特許文献１〜３参照）。これらの装置では一般に、野菜類や果実類に洗浄用の水を振り掛けるための散水ノズルが使用されており、かかる洗浄用散水ノズルとしては通常、先端が封鎖されたパイプの軸線方向に所定間隔で円孔を穿ったものや、更にかかる円孔に短尺な円筒状のノズル部材を取付けたもの等が使用されている。
【０００３】
しかし、前記のような従来の洗浄用散水ノズルには、それがしばしば水に含まれる夾雑物等によって目詰まりを起こし、目詰まりが起きるとそれだけ洗浄作用が低下するため、その都度、面倒な清掃作業を強いられるという問題がある。かかる目詰まりは、水の有効利用を図るため、一度使用した水を再使用する場合、例えば下流側で使用した比較例汚れの少ない水を上流側に戻して再使用するような場合において特に問題となる。
【特許文献１】特開昭５７−１８９６８６号公報
【特許文献２】実開昭５８−６２８９６号公報
【特許文献３】実開昭５９−８７２８９号公報
【考案の開示】
【考案が解決しようとする課題】
【０００４】
本考案が解決しようとする課題は、一度使用した水を再使用する場合であっても、長期間に亘り目詰まりを起こすことがなく、ノズルのできるだけ長い流域で長期間に亘り安定して均一に散水することができ、したがって野菜類や果実類を長期間に亘り安定して且つ効率的に洗浄することができる洗浄用散水ノズルを提供するところにある。
【課題を解決するための手段】
【０００５】
前記の課題を解決する本考案は、被洗浄物の洗浄用として該被洗浄物に散水するための洗浄用散水ノズルであって、パイプの軸線方向に１本又は２本の主切り込み線又はスリットが形成されており、該主切り込み線又は該スリットの下辺を臨むパイプ部に軸線方向へ間隔を空けて複数の副切り込み線又は切り欠き部が形成されていて、隣接する該副切り込み線又は該切り欠き部相互間のパイプ部が先端側の該副切り込み線又は該切り欠き部を起点として外側に開かれて成ることを特徴とする洗浄用散水ノズルに係る。
【０００６】
本考案に係る洗浄用散水ノズルでも、従来の洗浄用散水ノズルと同様、基材としてパイプを用いる。パイプの形状は、断面で円形、楕円形、方形、多角形等、いずれでもよいが、汎用性の点で断面円形が好ましい。またパイプは先端がそのまま開口となっているものでもよいが、先端の開口が絞られているものが好ましく、先端が封鎖されているものがより好ましい。更にパイプの材質は、金属、プラスチック、木等、いずれでもよいが、耐久性及び加工性の点で金属が好ましい。
【０００７】
本考案に係る洗浄用散水ノズルでは、前記したようなパイプの軸線方向に１本又は２本の主切り込み線又はスリットが形成されている。またかかる主切り込み線又はスリットにはその下辺を臨むパイプ部に軸線方向へ間隔を空けて複数の副切り込み線又は切り欠き部が形成されている。更に隣接する副切り込み線又は切り欠き部相互間のパイプ部は先端側の該副切り込み線又は該切り欠き部を起点として外側に開かれている。
【０００８】
したがって本考案に係る洗浄用散水ノズルには、１）パイプの軸線方向に１本又は２本の主切り込み線が形成されており、該主切り込み線の下辺を臨むパイプ部に軸線方向へ間隔を空けて複数の副切り込み線が形成されていて、隣接する該副切り込み線相互間のパイプ部が先端側の該副切り込み線を起点として外側に開かれている場合、２）パイプの軸線方向に１本又は２本の主切り込み線が形成されており、該主切り込み線の下辺を臨むパイプ部に軸線方向へ間隔を空けて複数の切り欠き部が形成されていて、隣接する該切り欠き部相互間のパイプ部が先端側の該切り欠き部を起点として外側に開かれている場合、３）パイプの軸線方向に１本又は２本のスリットが形成されており、該スリットの下辺を臨むパイプ部に軸線方向へ間隔を空けて複数の副切り込み線が形成されていて、隣接する該副切り込み線相互間のパイプ部が先端側の該副切り込み線を起点として外側に開かれている場合、４）パイプの軸線方向に１本又は２本のスリットが形成されており、該スリットの下辺を臨むパイプ部に軸線方向へ間隔を空けて複数の切り欠き部が形成されていて、隣接する該切り欠き部相互間のパイプ部が先端側の該切り欠き部を起点として外側に開かれている場合、以上の１）〜４）の場合が含まれるが、なかでも４）の場合が好ましい。２）及び４）の場合、切り欠き部の形状は、Ｖ字形、Ｕ字形、凵型、半円形型等、いずれでもよい。
【０００９】
本考案に係る洗浄用散水ノズルにおいて、隣接する副切り込み線又は切り欠き部相互間のパイプ部は、先端側の該副切り込み線又は該切り欠き部を起点として適宜の幅分だけ外側へ開いた形にすることができ、例えば隣接する該副切り込み線又は該切り欠き部相互間の中間位置まで外側へ開いた形にすることができるが、先端側の該副切り込み線又は該切り欠き部の下端から基端側の該副切り込み線又は該切り欠き部の上端に亘って外側に開いた形とするのが好ましい。また隣接する副切り込み線又は切り欠き部相互間におけるパイプ部の開き角度は特に制限されないが、各パイプ部の前記した起点において４５〜１３５度の範囲内とするのが好ましく、９０〜１３５度の範囲内とするのがより好ましい。同様に、最も基端側の副切り込み線又は切り欠き部よりも更に基端側に位置することとなる場合のパイプ部も外側に開いた形にすることができる。いずれも、パイプの軸線方向に沿うできるだけ長い流域で洗浄用の水を切れ目なく均一に散水させるためである。
【００１０】
また本発明に係る洗浄用散水ノズルにおいて、隣接する副切り込み線又は切り欠き部相互間の間隔は特に制限されないが、パイプの基端側よりも先端側の方が狭くなるようにするのが好ましく、パイプの基端側から先端部に向かって順次狭くなるようにするのがより好ましい。前記したことと同様、パイプの軸線方向に沿うできるだけ長い流域で洗浄用の水を切れ目なく均一に散水させるためである。
【考案の効果】
【００１１】
本考案に係る洗浄用散水ノズルによると、一度使用した水を再使用する場合であっても、長期間に亘り目詰まりを起こすことがなく、ノズルのできるだけ長い流域で長期間に亘り安定して均一に散水することができ、したがって野菜類や果実類を長期間に亘り安定して且つ効率的に洗浄することができるという効果がある。
【実施例】
【００１２】
図１は本考案に係る洗浄用散水ノズルを例示する正面図、図２は図１の洗浄用散水ノズルを示す斜視図、図３は図１のＡ−Ａ線拡大断面図である。先端が封鎖された円筒状の金属製のパイプ１１の軸線方向に１本のスリット２１が形成されている。スリット２１の下辺２１ａを臨むパイプ部には軸線方向へ間隔を空けて合計５個のＶ字形の切り欠き部３１ａ〜３１ｅが形成されており、隣接するこれらの切り欠き部３１ａ〜３１ｅ相互間の間隔はパイプ１１の基端側の切り欠き部３１ａと切り欠き部３１ｂの間隔よりも先端側の切り欠き部３１ｂ〜３１ｅ相互間の間隔の方が狭くなっていて、切り欠き部３１ｂ〜３１ｅ相互間の間隔はほぼ同じになっている。
【００１３】
そして隣接する切り欠き部３１ａ〜３１ｅ相互間のパイプ部４１ｂ〜４１ｅは、先端側の切り欠き部を起点として、先端側の切り欠き部の下端から基端側の切り欠き部の上端に亘り、起点での開き角度（起点での鉛直面から外側に開いた角度）Ｒがほぼ４５度で外側に開かれている。例えば、切り欠き部３１ａと切り欠き部３１ｂとの間のパイプ部４１ｂの場合、切り欠き部３１ｂを起点として、切り欠き部３１ｂの下端から切り欠き部３１ａの上端に亘り、起点での開き角度がほぼ４５度で外側に開かれている。また例えば切り欠き部３１ｄと切り欠き部３１ｅとの間のパイプ部４１ｅの場合、切り欠き部３１ｅを起点として、切り欠き部３１ｅの下端から切り欠き部３１ｄの上端に亘り、起点での開き角度がほぼ４５度で外側に開かれている。図面の場合は同様に、最も基端側の切り欠き部３１ａよりも更に基端側に位置するパイプ部４１ａも外側に開かれている。
【００１４】
図１〜３の洗浄用散水ノズルでは、パイプ１１の軸線方向に１本のスリット２１が形成されている場合を示したが、パイプ１１の軸線方向に２本のスリットが形成されている場合には通常、パイプ１１の軸線方向から見て（図３の状態で見て）、スリット２１とは左右対称となる位置に他の１本のスリットが形成され、かかる他の１本のスリットにも、スリット２１の場合と同様、複数の切り欠き部が形成され、また切り欠き部相互間のパイプ部が外側に開かれている。説明を省略するが、図４〜６の他の洗浄用散水ノズルについても同様である。
【００１５】
図４は本考案に係る他の洗浄用散水ノズルを例示する正面図である。先端が封鎖された円筒状の金属製のパイプ１２の軸線方向に１本のスリット２２が形成されている。スリット２２の下辺２２ａを臨むパイプ部には軸線方向へ間隔を空けて合計５個のＶ字形の切り欠き部３２ａ〜３２ｅが形成されており、隣接するこれらの切り欠き部３２ａ〜３２ｅ相互間の間隔はパイプ１２の基端側の切り欠き部３２ａと切り欠き部３２ｂの間隔から先端側の切り欠き部３２ｄと切り欠き部３２ｅの間隔に向かって順次狭くなっている。
【００１６】
そして隣接する切り欠き部３２ａ〜３２ｅ相互間のパイプ部４２ｂ〜４２ｅは、先端側の切り欠き部を起点として、先端側の切り欠き部の下端から基端側の切り欠き部の上端に亘り、起点での前記した開き角度がほぼ４５度で外側に開かれている。例えば、切り欠き部３２ａと切り欠き部３２ｂとの間のパイプ部４２ｂの場合、切り欠き部３２ｂを起点として、切り欠き部３２ｂの下端から切り欠き部３２ａの上端に亘り、起点での開き角度がほぼ４５度で外側に開かれている。また例えば切り欠き部３２ｄと切り欠き部３２ｅとの間のパイプ部４２ｅの場合、切り欠き部３２ｅを起点として、切り欠き部３２ｅの下端から切り欠き部３２ｄの上端に亘り、起点での開き角度がほぼ４５度で外側に開かれている。図面の場合は同様に、最も基端側の切り欠き部３２ａよりも更に基端側に位置するパイプ部４２ａも外側に開かれている。
【００１７】
図５は本考案に係る更に他の洗浄用散水ノズルを例示する正面図である。先端が封鎖された円筒状の金属製のパイプ１３の軸線方向に１本のスリット２３が形成されている。スリット２３の下辺２３ａを臨むパイプ部には軸線方向へ等間隔を空けて合計６個のＶ字形の切り欠き部３３ａ〜３３ｆが形成されている。そして隣接する切り欠き部３３ａ〜３３ｆ相互間のパイプ部４３ｂ〜４３ｆは、先端側の切り欠き部を起点として、先端側の切り欠き部の下端から先端側の切り欠き部と基端側の切り欠き部との間の中間位置まで、起点での前記した開き角度がほぼ４５度で外側に開かれている。例えば、切り欠き部３３ａと切り欠き部３３ｂとの間のパイプ部４３ｂの場合、切り欠き部３３ｂを起点として、切り欠き部３３ｂの下端から切り欠き部３３ｂと切り欠き部３３ａとの間の中間位置まで、起点での開き角度がほぼ４５度で外側に開かれている。また例えば切り欠き部３３ｅと切り欠き部３３ｆとの間のパイプ部４３ｆの場合、切り欠き部３３ｆを起点として、切り欠き部３３ｆの下端から切り欠き部３３ｆと切り欠き部３３ｅとの間の中間位置まで、起点での開き角度がほぼ４５度で外側に開かれている。図面の場合は同様に、最も基端側の切り欠き部３３ａよりも更に基端側に位置するパイプ部４３ａも外側に開かれている。
【００１８】
図６は本考案に係る更にまた他の洗浄用散水ノズルを例示する正面図である。先端が封鎖された円筒状の金属製のパイプ１４の軸線方向に１本の主切り込み線２４が形成されている。主切り込み線２４の下辺２４ａを臨むパイプ部には軸線方向へ等間隔を空けて合計６本の副切り込み線３４ａ〜３４ｆが形成されている。そして隣接する副切り込み線３４ａ〜３４ｆ相互間のパイプ部４４ｂ〜４４ｆは、先端側の副切り込み線を起点として、先端側の副切り込み線の下端から基端側の副切り込み線の上端に亘り、起点での前記した開き角度がほぼ４５度で外側に開かれている。例えば、副切り込み線３４ａと副切り込み線３４ｂとの間のパイプ部４４ｂの場合、副切り込み線３４ｂを起点として、副切り込み線３４ｂの下端から副切り込み線３４ａの上端に亘り、起点での開き角度がほぼ４５度で外側に開かれている。また例えば副切り込み線３４ｅと副切り込み線３４ｆとの間のパイプ部４４ｆの場合、副切り込み線３４ｆを起点として、副切り込み線３４ｆの下端から副切り込み線３４ｅの上端に亘り、起点での開き角度がほぼ４５度で外側に開かれている。図面の場合は同様に、最も基端側の副切り込み線３４ａよりも更に基端側に位置するパイプ部４４ａも外側に開かれている。
【図面の簡単な説明】
【００１９】
【図１】本考案に係る洗浄用散水ノズルを例示する正面図。
【図２】図１の洗浄用散水ノズルを示す斜視図。
【図３】図１のＡ−Ａ線拡大断面図。
【図４】本考案に係る他の洗浄用散水ノズルを例示する正面図。
【図５】本考案に係る更に他の洗浄用散水ノズルを例示する正面図。
【図６】本考案に係る更にまた他の洗浄用散水ノズルを例示する正面図。
【符号の説明】
【００２０】
１１〜１４      パイプ
２１〜２３      スリット
２４            主切り込み線
２１ａ〜２４ａ  下辺
３１ａ〜３１ｅ，３２ａ〜３２ｅ，３３ａ〜３３ｆ  切り欠き部
３４ａ〜３４ｆ  副切り込み線
４１ａ〜４１ｅ，４２ａ〜４２ｅ，４３ａ〜４３ｆ，４４ａ〜４４ｆ  パイプ部
【図１】
0003137884.tif 000003
【図２】
0003137884.tif 000004
【図３】
0003137884.tif 000005
【図４】
0003137884.tif 000006
【図５】
0003137884.tif 000007
【図６】
0003137884.tif 000008